(57)【要約】　　　（修正有）【課題】構造が簡単で、臭気に悩んだり、焼却処分等の生ごみの処理に煩わされたり、ダイオキシン発生等の公害源となることが防止でき、各種の生ごみを簡単に堆肥化できる混練機を提供する。【解決手段】ケーシング１１と、該ケーシング１１の内部に収容され、上端側に中央部を固着した左右方向の第１アーム１２を有するとともに、前記第１アーム１２と平行に配置され下端側に中央部を固着した第２アーム１３を有する回転軸１７と、第１アーム１２と第２アーム１３の左右両端部にそれぞれ連結された連結部材１４と、第１アーム１２の左側から下方手前に向けて伸び中央付近にて屈曲して後方に伸びて第２アーム１３側の右側に連結された条形状の撹拌羽根１５を具備しており、撹拌羽根１５の第１アーム１２側が回転軸の回転方向と同方向に捻ってあり、撹拌羽根１５の第２アーム１３側は混練物を上方に向けて掬い上げるように捻ってあるところに特徴がある。【選択図】　図２
2004105892.tif 000002
【特許請求の範囲】
【請求項１】
ケーシングと、該ケーシングの内部に収容され、上端側に中央部を固着した左右方向の第１アームを有するとともに、前記第１アームと平行に配置され下端側に中央部を固着した第２アームを有する回転軸と、前記第１アームと第２アームの左右両端部にそれぞれ連結された連結部材と、前記第１アームの左側から下方手前に向けて伸び中央付近にて屈曲して後方に伸びて前記第２アーム側の右側に連結された条形状の撹拌羽根を具備した混練機であって、
前記撹拌羽根の第１アーム側が回転軸の回転方向と同方向に捻ってあり、かつ、前記撹拌羽根の第２アーム側は混練物を上方に向けて掬い上げるように捻ってあることを特徴とする混練機。
【請求項２】
前記第２アームの右側から下方後方に向けて伸び中央付近にて屈曲して前方に伸びて前記第２アーム側の左側に連結された条形状の撹拌羽根がさらに装着されていることを特徴とする請求項１記載の混練機。
【請求項３】
前記混練機において、
前記ケーシング内に上下に列設された複数の切断片と、前記連結部材に上下に列設され前記複数の切断片間を通過する複数の刃体とがさらに具備されていることを特徴とする請求項１又は２に記載の混練機。
【請求項４】
前記混練機において、
前記ケーシングを恒温維持する加温装置がさらに具備されていることを特徴とする請求項１〜３のいずれかに記載の混練機。
【発明の詳細な説明】
【０００１】
【発明の属する技術分野】
本発明は混練機に関するものであり、より詳しくは、構造が簡単で、回転軸などの回転部材及び駆動源が過負荷になるのを防止できるとともに、ケーソング内での混練および切断を適切かつ効率よく行える混練機に関するものである。
【０００２】「
ただし、本発明となる混練機は、窯業、食品（健康食品を含む）加工、建築土木、医薬品製造、あるいは樹脂加工など、多方面的に適用できるものの、本明細書においては、生ゴミ（堆肥化）処理装置を具体例にして説明する。
【０００３】
【従来の技術】
従来の係る混練機としては、▲１▼ケーシングの内部に収容され複数の混練棒部材を有する回転軸の回転駆動によって摩擦研磨しながら混練するもの、▲２▼ケーシングの内部に収容され板部材を有する回転軸の回転駆動によって撹拌、混練するもの、▲３▼筒状ケーシングの内部に収容され螺旋状スクリューの回転駆動によって混練するもの、▲４▼ケーシングの内部に収容され条部材を有する回転軸の回転駆動によって撹拌、混練するものが汎用されている。
【０００４】
【発明が解決しようとする課題】
しかしながら、従来の上述した▲１▼、▲２▼及び▲４▼の混練機は、回転軸などの回転部材や駆動源が過負荷になるため、ケーソング内での混練および切断を適切かつ効率的に行えないという問題がある。
【０００５】
また、上述した▲３▼の混練機を、例えば食品残渣や貝殻類、魚溜の骨、小型動物の骨、鶏糞、豚糞尿、ペット糞尿、下水汚泥その他の腐敗性廃棄物（以下、単に廃棄物という）の堆肥化処理装置として使用すると、廃棄物は、圧送スクリューの送り圧力に抗しながら回転羽根によって破砕及び摩擦混練される際に、廃棄物中の水分は蒸散され、かつ、廃棄物内に生息して悪臭発生の主原因となる嫌気性菌と中温菌は死滅あるいはその生育が極端に抑制される。処理筒中を通過して排出口から輩出された処理物が空気と触れると、高温菌（好気性）が優先的に急速に増殖して悪臭を伴わない発酵が一気に行われ、短時間で良好な堆肥化資材となるという利点があるものの、家庭用生ごみ処理装置としては一般普及させるためには高額すぎるという問題がある。
【０００６】
また、各種の生ごみを処理するために生ごみ処理装置が種々提案されているが、従来の特に家庭用生ごみ処理装置は、単に生ごみを切断、破砕し、水分を抜いてその容積を減少させる構造のものが殆どであり、繊維質、脂質等各種の分解しにくい成分を含む生ごみの処理に関しては十分に対応し得ないのが実情である。このため、従来においては、生ごみの臭気に悩んだり、焼却処分等の生ごみの処理に煩わされているのが実情である。
【０００７】
本発明は、上記事情に鑑みてなされたものであり、その目的は、構造が簡単で、臭気に悩んだり、焼却処分等の生ごみの処理に煩わされたり、ダイオキシン発生等の公害源となることが防止でき、各個人の家庭は勿論、飲食店、ホテル、学校、病院等の施設の適宜場所に設置して各種の生ごみを簡単に堆肥化できる混練機（生ごみ処理装置）を提供するにある。
【０００８】
【課題を解決するための手段】
上記課題を解決するために本発明が採用した手段は、請求項１の発明は、ケーシングと、該ケーシングの内部に収容され、上端側に中央部を固着した左右方向の第１アームを有するとともに、前記第１アームと平行に配置され下端側に中央部を固着した第２アームを有する回転軸と、前記第１アームと第２アームの左右両端部にそれぞれ連結された連結部材と、前記第１アームの左側から下方手前に向けて伸び中央付近にて屈曲して後方に伸びて前記第２アーム側の右側に連結された条形状の撹拌羽根を具備した混練機であって、前記撹拌羽根の第１アーム側が回転軸の回転方向と同方向に捻ってあり、かつ、前記撹拌羽根の第２アーム側は混練物を上方に向けて掬い上げるように捻ってあるものを、その要旨とする。
【０００９】
請求項２の発明は、請求項１に記載の混練機において、前記第２アームの右側から下方後方に向けて伸び中央付近にて屈曲して前方に伸びて前記第１アームの左側に連結された条形状の撹拌羽根がさらに装着されているものを、その要旨とする。
【００１０】
請求項３の発明は、請求項１又は２に記載の混練機において、前記ケーシング内に上下に列設された複数の切断片と、前記連結部材に上下に列設され前記複数の切断片間を通過する複数の刃体とがさらに具備されているものを、その要旨とする。
【００１１】
請求項４は、請求項１〜３のいずれか記載の混練機において、前記ケーシングを恒温維持する加温装置がさらに具備されているものを、その要旨とする。
【００１２】
このように構成を採用された各混練機によると、撹拌羽根の第１アーム側が回転軸の回転方向と同方向に捻ってあるから、混練物を外方向に強制的に移動させることができる。また、撹拌羽根の第２アーム側も捻ってあり、この捻りによって、混練物を上方に向けて掬い上げるできる。したがって、これらの作用が互いに相まって、ケーシング内の処理物に効率的に空気供給ができ、好気性菌が急速に増殖して悪臭を伴わない発酵が一気に行え、短時間で良好な堆肥化ができる。
【００１３】
また、回転軸などの回転部材及び駆動源が過負荷になるのを防止でき、しかも、効率的に破砕および混合混練できる。
【００１４】
特に、請求項３に記載の混練機によると、回転軸の回転に伴って、ケーシング内に上下に列設された複数の切断片間を、連結部材に上下に列設された複数の刃体が互い違いに通過するようになっているから、繊維質等の小片化し難い成分を含む生ごみであっても、これらを切断して微小化でき、より効率的に破砕および混合混練できる。
【００１５】
そして、請求項４に記載の混練機によると、ケーシングを恒温維持できるから、好気性菌がより急速に増殖して悪臭を伴わない発酵が一気に行え、短時間で良好な堆肥化ができる。
【００１６】
【発明の実施の形態】
以下、本発明の実施の形態を実施例に基づいて詳細に説明するが、これはその代表的なものとして例示したに過ぎず、その要旨を越えない限り以下の実施例により本発明が限定されるものではなく、様々に設計変更して実施できるものとする。
【００１７】
図１は本発明の実施例の攪拌機１０を概略的に示す要部斜視図であり、ケーシングは図示されていない。図２は同攪拌機１０の断面図正面図、図３は平面図である。
【００１８】
図において、この攪拌機１０は、ケーシング１１と、このケーシング１１の内部に収容され、上端側に中央部を固着した左右方向の第１アーム１２を有するとともに前記第１アーム１２と平行に配置され下端側に中央部を固着した第２アーム１３を有する回転軸１７と、前記第１アーム１２と第２アーム１３の左右両端部にそれぞれ連結された連結部材１４と、前記第１アーム１２の左端部から下方手前に向けて伸び中央付近にて屈曲して後方に伸びて前記第２アーム１３側の右端部に連結された条形状の撹拌羽根１５と、前記第２アーム１３の右端部から下方後方に向けて伸び中央付近にて屈曲して前方に伸びて前記第１アーム１２側の左端部に連結された条形状の撹拌羽根１６とから構成されている。回転軸１７は、駆動装置Ｍによって回転させるようになっている。
【００１９】
ケーシング１１はステンレス鋼材製で、開閉可能な底部材を有し上方に開口を有する円筒状に形成されており、生ごみ等は底部材を閉じた状態で上方の開口から内部に投入され、適宜時間の間、堆肥化処理した後に、底部材を開放して取り出すようになっている。
【００２０】
ただし、ケーシング１１の材質や寸法形状などを制限するものではないが、成型性や価格の観点からはプラスチック製であることが好ましく、強度の観点からはステンレス鋼材製であることが好ましい。また、回転軸１７の回転に伴って撹拌羽根も回転するので、円筒もしくは底面が下方に向けて縮径する円錐状に形成されていることが好ましい。
【００２１】
また、ケーシング１１内には、４枚の切断片を上下に列設した群が互いに１２０度の間隔で離間して固着されており、前記連結部材１４には上下に列設され前記複数の切断片１８間を通過する複数の刃体１９が装着されている。切断片１８と刃体１９の数量や取付位置などを制限するものではないが、想定される混練物の種類、重量等を考慮して最も適切な切断効率や撹拌効率が得られるように適宜設計変更できる事項であるが、ケーシング１１の下方から２／３程度の範囲内に装着されていることが好ましい。
【００２２】
条形状の各撹拌羽根１５の第１アーム側１２は、回転軸１７の回転方向と同方向に捻ってあり（図４参照）、第２アーム１３側は混練物を上方に向けて掬い上げるように捻ってある（図５参照）。
【００２３】
なお、ケーシング１１の外側面を覆うように温度調節機能付き恒温装置（図示しない）が装着されていると、ケーシング１１の内部を加温し一定温度に保持できるから、混練物中のあるいは添加した好気性菌や酵素類などにより悪臭を伴わない発酵がより効率的に行え、短時間で良好な堆肥化ができる。
【００２４】
【発明の効果】
以上、本発明の混練機によると、撹拌羽根の第１アーム側が回転軸の回転方向と同方向に捻ってあるから、混練物を内から外方向に向けて強制移動させることができ、また、前記撹拌羽根の第２アーム側も捻ってありこの捻りによって混練物を上方に向けて掬い上げるできるので、これらの作用が互いに相まって、優れた撹拌、混練効果が得られる。
【００２５】
さらに、回転軸の回転に伴って、ケーシング内に上下に列設された複数の切断片間を、連結部材に上下に列設された複数の刃体が互い違いに通過するようになっているから、繊維質等の小片化にくい成分を含む生ごみであっても、これらの切断して微小化できこれらを小片化しながら混合混練できる。
【００２６】
また、回転軸などの回転部材及び駆動源が過負荷になるのを防止でき、しかも、効率的に破砕および混合混練できるなど、実効性に優れた混練機として廉価に提供できるのである。
【図面の簡単な説明】
【図１】図１　図１は本発明の実施例の攪拌機を概略的に示す要部斜視図であり、ケーシング部は記載されていない。
【図２】図２は同攪拌機を概略的に示す正面図である。
【図３】図３は同攪拌機を概略的に示す平面図である。
【図４】図４は、条形状の各撹拌羽根の第１アーム側が、回転軸の回転方向（白抜き矢印）と同方向（矢印）に捻ってあることを説明するための要部部分斜視図である。
【図５】図５は、条形状の各撹拌羽根の第２アーム側が、回転軸の回転方向（白抜き矢印）と同方向（矢印）に捻ってあることを説明するための要部部分斜視図である。
【符号の説明】
１０　…　攪拌機
１１　…　ケーシング
１２　…　左右方向の第１アーム
１３　…　左右方向の第２アーム
１４　…　連結部材
１５　…　撹拌羽根
１６　…　撹拌羽根
１７　…　回転軸
１８　…　切断片
１９　…　刃体
Ｍ　…　駆動装置
【図１】
2004105892.tif 000003
【図２】
2004105892.tif 000004
【図３】
2004105892.tif 000005
【図４】
2004105892.tif 000006
【図５】
2004105892.tif 000007